(57)【要約】  ガイドワイヤ継手は、第１カバーボード（１）と、第２カバーボード（２）と、第１カバーボードと第２カバーボードとを接続する接続部（３）と、接続部材（４）と、を備え、接続部材（４）は、ガイドワイヤ継手を医療器具に接続可能であり、第１カバーボード（１）及び第２カバーボード（２）の接続部（３）から遠い側が接触又は分離することによってガイドワイヤ継手の閉鎖及び開放を調整する。ガイドワイヤ継手の閉鎖時に第１カバーボード（１）と第２カバーボード（２）との間にガイドワイヤ通過キャビティ（１０）が形成され、ガイドワイヤを通過させてＣ字溝を備えた医療器具のガイドワイヤキャビティに挿通させ、ガイドワイヤ継手の開放時にガイドワイヤがガイドワイヤ継手から速やかに離脱し、医療器具から速やかに分離することができる。【選択図】図６
2021529580.tif 000002
【特許請求の範囲】
【請求項１】
ガイドワイヤ継手であって、
第１カバーボードと、第２カバーボードと、前記第１カバーボードと第２カバーボードとを接続する接続部と、接続部材と、を備え、
前記接続部材は、前記ガイドワイヤ継手を医療器具に接続可能であり、
前記第１カバーボード及び前記第２カバーボードの前記接続部から遠い側は、接触又は分離状態とすることができ、これによりガイドワイヤ継手の閉鎖及び開放を可能にし、
接触状態では、前記第１カバーボードと前記第２カバーボードとの間にガイドワイヤの通過を可能にするガイドワイヤ通過キャビティがあり、
前記分離状態では、前記ガイドワイヤが前記ガイドワイヤ継手から離脱可能である、ことを特徴とするガイドワイヤ継手。
【請求項２】
前記医療器具は、迅速交換装置であり、
前記ガイドワイヤ継手は、迅速交換装置と組み合わせて使用でき、ガイドワイヤと迅速交換装置との迅速な分離を実現する、ことを特徴とする請求項１に記載のガイドワイヤ継手。
【請求項３】
前記第１カバーボード及び前記第２カバーボードの前記接続部から遠い側が接触して形成される構造の遠位端の直径が近位端の直径よりも小さい、ことを特徴とする請求項１に記載のガイドワイヤ継手。
【請求項４】
前記ガイドワイヤ継手はスイッチをさらに備え、前記スイッチを引き回すか又は押圧することによってガイドワイヤ継手を開放することができ、ガイドワイヤ分離を実現する、ことを特徴とする請求項１に記載のガイドワイヤ継手。
【請求項５】
前記スイッチは、前記第１カバーボードの前記接続部から遠い側に位置し、アーチ型構造である、ことを特徴とする請求項４に記載のガイドワイヤ継手。
【請求項６】
前記スイッチは、前記第１カバーボードと前記第２カバーボードとの間に位置し、圧力ばねを備える、ことを特徴とする請求項４に記載のガイドワイヤ継手。
【請求項７】
第１カバーボード及び第２カバーボードは、プラスチックが射出成形されたものである、ことを特徴とする請求項１に記載のガイドワイヤ継手。
【請求項８】
前記接続部は、ヒンジ構造である、ことを特徴とする請求項１に記載のガイドワイヤ継手。
【請求項９】
前記第２カバーボードの外面には、凹凸面が形成されている、ことを特徴とする請求項１に記載のガイドワイヤ継手。
【請求項１０】
ガイドワイヤ継手と組み合わせて使用される迅速交換装置は、シースチューブを備える、ことを特徴とする請求項２に記載のガイドワイヤ継手。
【請求項１１】
前記シースチューブは、一方側にＣ型溝が設けられたガイドワイヤキャビティを有する、ことを特徴とする請求項１０に記載のガイドワイヤ継手。
【発明の詳細な説明】
【技術分野】
【０００１】
本発明は、医療器具の分野に関し、特に、ガイドワイヤ継手に関する。
【背景技術】
【０００２】
括約筋切開術（Ｅｎｄｏｓｃｏｐｉｃ  ｓｐｈｉｎｃｔｅｒｏｐａｐｉｌｌｏｔｏｍｙ、ＥＳＴ）は、内視鏡的逆行性膵胆管造影（Ｅｎｄｏｓｃｏｐｉｃ  ｒｅｔｒｏｇｒａｄｅ  ｃｈｏｌａｎｇｉｏｐａｎｃｒｅａｔｏｇｒａｐｈｙ、ＥＲＣＰ）の診断技術からさらに発展した、内視鏡下で高周波電気切開刀を用いて十二指腸乳頭括約筋及び総胆管末端部を切開する治療技術である。
【０００３】
臨床では、ＥＳＴは、総胆管結石、胆源性膵炎、急性閉塞性化膿性胆管炎、膨大部周囲腫瘍、胆道回虫、総胆管末端部良性狭窄、Ｏｄｄｉ括約筋機能障害などの疾患の治療に広く応用されている。内視鏡的乳頭括約筋切開術の施術後に結石破砕、結石採取、回虫摘出、鼻胆管ドレナージ、内ステントドレナージなどを併用することにより、疾患の部分的又は徹底的な治療が可能となる。
【０００４】
主に総胆管に絶縁性ガイドワイヤを挿入し、高周波発生器の負極板を患者の臀部の皮膚に貼り付け、切開刀制御ハンドルの接続金具を高周波発生器の対応する電極継手に接続し、電気切開、電気凝固電力やその混合比率を調整して切開術を行う。単純な電気切開電流を用いてＥＳＴを行うこともでき、それは切開中の近くの組織に対する凝固作用を減少することができ、それによって明晰な内視鏡視野を維持するのに有利である。
【０００５】
従来のＥＲＣＰ手術では、乳頭切開刀は、膵胆管系挿管及び括約筋切開術を終了した後、一般に、ガイドワイヤ（４．５ｍ）の位置を保持しながら、ゆっくり内視鏡から乳頭切開刀を引き抜く必要があったが、これには医師と看護師との協力が必要であり、交換距離は、約１．６〜２ｍである。乳頭切開刀は内視鏡から引き抜いた後、体外でガイドワイヤから２ｍ以上の引き抜き距離が必要である。この過程で切開刀の引き抜き距離が長く、手術に時間がかかることになる。医師と看護師との操作の協力には高い熟練度が要求される。
【０００６】
現在市場における大多数の迅速交換切開刀製品は、切開刀のアウターチューブのガイドワイヤキャビティの側壁にガイドワイヤ挿入孔を開設するか、又は開孔後にガイドワイヤプリロード入口として溝付きのガイドワイヤ継手を追加するものである。アウターチューブのガイドワイヤ側壁開口構造は、カテーテルの寸法の制限によって、開口寸法が小さく、ガイドワイヤの挿通やプリロード作業に不便である。溝付きのガイドワイヤ継手は、閉鎖しないので、一定のガイド作用があるが、プリロードにＪ型ガイドワイヤを使用する時、ガイドワイヤが溝開け位置から伸びる可能性が高い。
【０００７】
そこで、手術時間を節約し、医師一人での操作を実現すると同時に、ガイドワイヤが切開刀のガイドワイヤキャビティに挿通するのによいガイド性を確保するため、ガイドワイヤキャビティ側壁に溝を設けることとガイドワイヤ継手にガイドワイヤチャネルの開閉機能を追加することとにより、ガイドワイヤに合わせて迅速交換装置をロッキングしてガイドワイヤが切開刀のガイドワイヤキャビティ側壁から乳頭切開刀の遠位端まで速やかに分離することを実現し、乳頭切開刀がガイドワイヤに沿って内視鏡から引き抜かれる交換距離を短くするガイドワイヤ継手が切望される。
【発明の概要】
【発明が解決しようとする課題】
【０００８】
本発明の目的は、ガイドワイヤがガイドワイヤキャビティに挿通される際にガイド性を良好にし、ガイドワイヤの挿通効率を向上させ、次は、医師がＥＲＣＰ手術を行う時に一人での操作を可能にし、最後には、迅速交換装置がガイドワイヤに沿って内視鏡から引き抜かれる交換距離を短くし、手術時間を効果的に短縮し、患者の苦痛を軽減する、ガイドワイヤ継手を設計することである。
【課題を解決するための手段】
【０００９】
本発明は、第１カバーボードと、第２カバーボードと、前記第１カバーボードと第２カバーボードとを接続する接続部と、接続部材と、を備え、前記接続部材は、前記ガイドワイヤ継手を医療器具に接続可能であり、前記第１カバーボード及び前記第２カバーボードの前記接続部から遠い側は接触又は分離状態とすることができ、これによりガイドワイヤ継手の閉鎖及び開放を可能にし、前記接触状態では、前記第１カバーボードと前記第２カバーボードとの間にガイドワイヤの通過を可能にするガイドワイヤ通過キャビティがあり、前記分離状態では、前記ガイドワイヤが前記ガイドワイヤ継手から離脱可能である、ガイドワイヤ継手を提供する。
【００１０】
本発明のガイドワイヤ継手において、前記医療器具は、迅速交換装置であり、前記ガイドワイヤ継手は迅速交換装置と組み合わせて使用でき、ガイドワイヤと迅速交換装置との迅速な分離を実現する。
【００１１】
本発明のガイドワイヤ継手において、前記第１カバーボード及び前記第２カバーボードの前記接続部から遠い側が接触して遠位端の直径が近位端の直径よりも小さい略円筒状構造を形成する。
【００１２】
本発明のガイドワイヤ継手において、前記ガイドワイヤ継手は、スイッチをさらに備え、前記スイッチを引き回すか又は押圧することによってガイドワイヤ継手を開放することができ、ガイドワイヤ分離を実現する。
【００１３】
本発明のガイドワイヤ継手において、前記スイッチは、前記第１カバーボードの前記接続部から遠い側に位置し、アーチ型構造である。
【００１４】
本発明のガイドワイヤ継手において、前記スイッチは、前記第１カバーボードと前記第２カバーボードとの間に位置し、圧力ばねを備える。
【００１５】
本発明のガイドワイヤ継手において、第１カバーボード及び第２カバーボードは、プラスチックが射出成形されたものである。
【００１６】
本発明のガイドワイヤ継手において、前記接続部は、ヒンジ構造である。
【００１７】
本発明ガイドワイヤ継手において、前記第２カバーボードの外面には、凹凸面が形成されている。
【００１８】
本発明のガイドワイヤ継手において、ガイドワイヤ継手と組み合わせて使用される迅速交換装置はシースチューブを備える。
【００１９】
本発明のガイドワイヤ継手において、前記シースチューブは、一方側にＣ型溝が設けられたガイドワイヤキャビティを有する。
【図面の簡単な説明】
【００２０】
【図１】右側開閉型ガイドワイヤ継手の閉鎖時の模式図である。
【図２】図１に示された右側開閉型ガイドワイヤ継手の開放後の模式図である。
【図３】図２に示された右側開閉型ガイドワイヤ継手の開放後の模式図の拡大図である。
【図４】図１に示された右側開閉型ガイドワイヤ継手の断面図である。
【図５】上側開閉型ガイドワイヤ継手の閉鎖時の模式図である。
【図６】図５に示された上側開閉型ガイドワイヤ継手の開放状態の模式図である。
【図７】図６に示された上側開閉型ガイドワイヤ継手の開放後の模式図の拡大図である。
【図８】図５に示された上側開閉型ガイドワイヤ継手の第２カバーボードと接続部を除去した模式図である。
【図９】図５に示された上側開閉型ガイドワイヤ継手の断面図である。
【図１０】ガイドワイヤ継手と組み合わせて使用されるシースチューブの正面図である。
【図１１】図１０に示されたガイドワイヤ継手と組み合わせて使用されるシースチューブの断面図である。
【発明を実施するための形態】
【００２１】
以下、図面及び本発明の好適な実施例に合わせて、発明の意図された目的を達成するために本発明によって採用される技術的手段についてさらに説明する。
【００２２】
本発明は、第１カバーボードと、第２カバーボードと、前記第１カバーボードと第２カバーボードとを接続する接続部と、接続部材と、を備え、前記接続部材は、前記ガイドワイヤ継手を医療器具に接続可能であり、前記第１カバーボード及び前記第２カバーボードの前記接続部から遠い側は、接触又は分離の状態とすることができ、これによりガイドワイヤ継手の閉鎖及び開放を可能にし、前記接触状態では、前記第１カバーボードと前記第２カバーボードとの間にガイドワイヤの通過を可能にするガイドワイヤ通過キャビティがあり、このときガイドワイヤ継手が閉鎖状態であり、前記分離状態では、前記ガイドワイヤが前記ガイドワイヤ継手から離脱可能であり、このときガイドワイヤ継手が開放状態である、ガイドワイヤ継手を提供する。
【００２３】
本発明のガイドワイヤ継手において、前記医療器具は、迅速交換装置であり、前記ガイドワイヤ継手は、迅速交換装置と組み合わせて使用でき、ガイドワイヤと迅速交換装置との迅速な分離を実現し、具体的な迅速交換装置としては、乳頭切開刀、結石採取バルーン、造影カテーテル、結石採取バスケット、拡張バルーンなどが挙げられる。
【００２４】
本発明のガイドワイヤ継手において、前記第１カバーボード及び前記第２カバーボードの前記接続部から遠い側が接触して、遠位端の直径が近位端の直径よりも小さい略円筒状構造を形成する。
【００２５】
本発明のガイドワイヤ継手において、前記ガイドワイヤ継手は、スイッチをさらに備え、前記スイッチを引き回すか又は押圧することによってガイドワイヤ継手を開放し、ガイドワイヤ分離を実現する。
【００２６】
好ましくは、前記スイッチは、前記第１カバーボードの前記接続部から遠い側に位置し、アーチ型構造である。前記スイッチは、前記第１カバーボードと前記第２カバーボードとの間に位置し、少なくとも１つの圧力ばねを有することができる。
【００２７】
本発明のガイドワイヤ継手において、第１カバーボード及び第２カバーボードは、プラスチックから射出成形されている。
【００２８】
本発明のガイドワイヤ継手において、前記接続部は、ヒンジ構造である。
【００２９】
本発明のガイドワイヤ継手において、前記第２カバーボードの外面に凹凸面が形成されており、前記凹凸面は、使用時の指挟持位置であり、摩擦抵抗を増加させると同時に、ガイドワイヤ継手を開放したり、ガイドワイヤを分離したりする際に挟持が外れることを防止することができる。
【００３０】
本発明のガイドワイヤ継手において、ガイドワイヤ継手と組み合わせて使用される迅速交換装置は、シースチューブを含む。
【００３１】
好ましくは、前記シースチューブは、ガイドワイヤがガイドワイヤ継手のガイドワイヤ通過キャビティからシースチューブのガイドワイヤキャビティに挿通できるように、一方側にＣ型溝が設けられたガイドワイヤキャビティを有する。
【００３２】
図１〜図９に示すように、本発明の実施形態のガイドワイヤ継手を示し、図１０〜図１１は、本発明のシースチューブ構造を示す。
【００３３】
本発明の非限定的な実施例では、図１〜９に示すように、ガイドワイヤ継手は、第１カバーボード１と、第２カバーボード２と、第１カバーボード１と第２カバーボード２とを接続する接続部３と、接続部材４と、を備える。第１カバーボード１、第２カバーボード２の接続部３から遠い側が接触して略円筒状構造を形成することができ、このとき、ガイドワイヤ継手は閉鎖状態となり、ガイドワイヤ継手の第１カバーボード１と第２カバーボード２との間にガイドワイヤ通過キャビティ１０が形成され、ガイドワイヤ８がガイドワイヤ継手の近位端からガイドワイヤ通過キャビティ１０を通過してガイドワイヤ継手に進入し、前記略円筒状構造の遠位端の直径は近位端の直径よりも小さく、第１カバーボード１、第２カバーボード２のシャフトチューブ３から遠い側が分離して１つの開口を形成することができ、このとき、ガイドワイヤ継手は開放状態となり、ガイドワイヤ８は開口からガイドワイヤ継手から離脱する。
【００３４】
接続部材４は、第２カバーボード２に設けられ、第２カバーボード２に固定的に接続される。接続部材４は、第１カバーボード１及び第２カバーボード２の内側から外側に延出して形成されていてもよく、これによりガイドワイヤ継手の閉鎖時に２つのカバーボード内側に位置する凸部が互いに接触して完全な接続部材４を形成し、接続部材４は、ガイドワイヤ継手の近位端からその遠位端まで厚さが次第に小さくなるように迅速交換装置に接続され、迅速交換装置に接続された状態で第１カバーボード１とガイドワイヤ８をガイドするためのガイドチャネルを形成することができる。
【００３５】
第２カバーボード２の外面には、凹凸面５が形成されており、凹凸面５は、点状の凸部、筋状の凹部などであることができる。凹凸面は、使用時の指挟持位置であり、摩擦抵抗を増加させると同時に、ガイドワイヤ継手を開放したり、ガイドワイヤ８を分離したりする際に挟持が外れることを防止することができる。
【００３６】
ガイドワイヤ継手は、ガイドワイヤ８がガイドワイヤ継手のガイドワイヤ通過キャビティ１０から挿通して遠位端に延在し、最終的にアウターチューブ１６の遠位端から延出するように、接続部材４を介して迅速交換装置のアウターチューブ１６に接続することができる。アウターチューブ１６の遠位端には、ガイドワイヤ８が迅速交換装置から分離する時にガイドワイヤ継手から速やかに分離することを容易にする開口が設けられており、好ましくは、アウターチューブ１６の遠位端に設けられた開口は、三角開口１７であり、ガイドワイヤ８がガイドワイヤ通過キャビティ１０からガイドワイヤ継手に進入する際に、ガイドワイヤ８が迅速交換装置のキャビティ内に速やかに進入し、迅速交換装置の遠位端出口から延出するようにガイドし、ガイドの役割を果たす。ガイドワイヤ８がガイドワイヤキャビティ１１内に保持されている時、三角開口１７の遠位端が接触してガイドワイヤ８がガイドワイヤキャビティ１１内に保持されるようにし、ガイドワイヤ８が迅速交換装置から離脱する時、一定の力でガイドワイヤ８を引っ張れば、ガイドワイヤ８が三角開口１７の遠位端を通過し、ガイドワイヤ８がガイドワイヤ継手から分離される。
【００３７】
具体的には、アウターチューブ１６は、シースチューブ９と接続するように設計することができ、ガイドワイヤ８がガイドワイヤ継手のガイドワイヤ通過キャビティ１０からシースチューブ９のガイドワイヤキャビティ１１に挿通できるように、シースチューブ９の一方側にＣ型溝１２が設けられている。シースチューブ９の外径がガイドワイヤ継手の遠位端の内径と等しいかそれよりも若干小さくなるように設計することができるので、ガイドワイヤ８は、ガイドワイヤ継手の閉鎖時にガイドワイヤ継手のガイドワイヤ通過キャビティ１０からシースチューブ９のガイドワイヤキャビティ１１によりよくスムーズに挿入し、ガイドワイヤキャビティ１１に沿って迅速交換装置の遠位端に到達し、迅速交換装置の遠位端出口から延出し、ガイドワイヤ８の進行方向を正確にガイドする効果を達成し、ガイドワイヤ８の挿通効率を効果的に向上させることができる。
【００３８】
ガイドワイヤ継手における接続部３は、第１カバーボード１と第２カバーボード２とを固定的に接続するヒンジ構造であることができる。
【００３９】
ガイドワイヤ継手は、スイッチ６をさらに備え、引き回すか又は押圧することによってガイドワイヤ通過キャビティ１０を開放して１つの開口を形成することができる。ガイドワイヤ８は、ガイドワイヤ継手が開放されると、ガイドワイヤ継手の開口及び迅速交換装置から分離され、迅速交換を実現することができる。
【００４０】
スイッチ６は、第１カバーボード１の接続部３から遠い側の側縁７に位置してもよく、アーチ型構造であり、具体的には、ガイドワイヤ継手の外側に円弧面状を呈するようにアーチ状に形成している。ガイドワイヤ継手を開放する際には、スイッチ６を引き回すことにより、第１カバーボードの側縁７が第２カバーボード２から徐々に離れて開口を形成し、ガイドワイヤ継手の内部に設けられたガイドワイヤ８が開口からガイドワイヤ継手から離脱する。
【００４１】
スイッチ６は、第１カバーボード１と第２カバーボード２との間に位置し、少なくとも１つの圧力ばね１５を有するものであることもでき、ガイドワイヤ継手の第２カバーボード２を押圧することにより、ガイドワイヤ継手の第１カバーボード１を開放して開口を形成し、ガイドワイヤ継手の内部に設けられたガイドワイヤ８が開口から解放される。
【００４２】
したがって、本発明のガイドワイヤ継手は、操作が簡便であり、スイッチ６を引き回すか又は押圧するだけでガイドワイヤ継手を開放することができ、ガイドワイヤ８とガイドワイヤ継手とを分離させることができ、これにより、迅速交換装置から迅速交換装置の遠位端部分に速やかに分離され、乳頭切開刀、結石採取バルーン、造影カテーテル、結石採取バスケット、拡張バルーンなどを備える迅速交換装置の迅速交換過程に好適である。そして、本発明のガイドワイヤ継手は、迅速交換装置がガイドワイヤ８に沿って内視鏡から引き抜かれる交換距離を効果的に短縮し、迅速交換装置の迅速引き抜きを実現し、手術時間を効果的に短縮することができる。
【００４３】
本発明の非限定的な実施形態では、図１及び図５に示すように、ガイドワイヤ継手の閉鎖時の模式図であり、ガイドワイヤ継手の閉鎖時には、第１カバーボード１及び第２カバーボード２の接続部３から遠い側が接触して略円筒状構造を形成し、ガイドワイヤ８は、略円筒状構造の内部を貫通し、第１カバーボード１、第２カバーボード２の遠位端は、略円筒状構造の遠位端の直径が近位端の直径よりも小さくなるように、接続部３に向かって次第に近づく。
【００４４】
第１カバーボード１は、図１〜図４に示すように、近位端が大径でありかつ遠位端が小径のアーチ型構造であり、図３に示すように、第１カバーボード１は、近位端から遠位端に向かって直径が先に減少し、その後変化せず、最後に再び減少する。第２カバーボード２の近位端端面とその側壁の接続部は、一定の弧度を有するアングル構造を形成しており、第２カバーボード２は、近位端から遠位端に向かって直径が先に変化せず、その後減少する。第１カバーボード１及び第２カバーボード２の直径減少の開始位置は一致している。略円筒状構造の遠位端の直径が近位端の直径よりも小さいので、ガイドワイヤ８は、ガイドワイヤ継手の閉鎖時にガイドワイヤ通過キャビティ１０からガイドワイヤ継手に進入した後に迅速交換装置の遠位端により便利に移送することができ、また、ガイドワイヤ８は、迅速交換装置のシースチューブ９の一方側にＣ型溝が設けられた構造により、ガイドワイヤ継手のガイドワイヤ通過キャビティ１０からシースチューブ９のガイドワイヤキャビティ内１１によりよくスムーズに挿入して迅速交換装置の遠位端に進入できるだけでなく、ガイドワイヤ８と迅速交換装置との交換距離を短くすることができる。
【００４５】
ガイドワイヤ継手の第１カバーボード１の接続部３から遠い側７には、スイッチ６が設けられており、スイッチ６は、第１カバーボードの側縁７に位置し、ガイドワイヤ継手の外側に円弧面状を呈するようにアーチ状に形成している。ガイドワイヤ継手の開放時にスイッチ６を引き回すことにより、第１カバーボードの側縁７が第２カバーボード２から徐々に離れて開口を形成し、ガイドワイヤ継手の内部に設けられたガイドワイヤ８が開口から解放される。
【００４６】
本発明の別の実施例では、第１カバーボード１及び第２カバーボード２は、図５〜図９に示すように、対称構造であり、図８〜図９に示すように、接続部３が第１カバーボード１の中間に位置し、第１カバーボード１を曲面状の上半部１３と平面状の下半部１４に分割している。上半部１３は、近位端が大径でありかつ遠位端が小径のアーチ型構造であり、上半部１３は、近位端から遠位端に向かって直径が先に減少し、その後変化せず、最後に減少する。下半部１４は、平面状の構造であり、その上に圧力ばね１５を設けるための溝を２つ対称的に配置した構造である。ガイドワイヤ継手において、第１カバーボード１と対称である第２カバーボード２と第１カバーボード１とを組み合わせた時に略円筒状構造となり、このときのガイドワイヤ継手は、閉鎖状態となる。
【００４７】
図５〜図９に示すように、ガイドワイヤ継手のスイッチ６は、第１カバーボード１と第２カバーボード２との間に位置し、少なくとも１つの圧力ばね１５を備え、好ましくは、ガイドワイヤの第１カバーボード１と第２カバーボード２の下半部１４との間に対称的に分布する２つの圧力ばね１５を備える。ガイドワイヤ継手の第２カバーボード２を押圧することにより、２つのカバーボードの下半部１４同士の距離が減少し、第１カバーボード１と第２カバーボード２との間は、上半部１３と下半部１４との中間に設けられた接続部３によって接続されているため、２つの下半部１４同士の距離が小さくなると、上半部１３同士が互いに離れる傾向にあり、これにより、ガイドワイヤ継手が開放されて開口を形成し、ガイドワイヤ継手の内部に設けられたガイドワイヤ８が開口から解放される。
【００４８】
ガイドワイヤ継手の接続部材４は、図７に示すように、その近位端末端が第１カバーボード１及び第２カバーボード２の近位端末端で終了し、このときガイドワイヤ継手は、シースチューブ９又はアウターチューブ１６に留められている。接続部材４は、図８及び図９に示すように、その近位端末端が第１カバーボード１及び第２カバーボード２の近位端外側に位置し、外方に延在する部分は、シースチューブ９又はアウターチューブ１６に固定的に接続されている。
【００４９】
以上の説明は、本発明の好適な実施例にすぎず、本発明に対して何ら限定を行うものではなく、本発明について好適な実施例として上記のとおり開示したが、これは本発明を限定するものではなく、当業者であれば、本発明の技術案の範囲から逸脱しない限り、上記に開示された技術的内容を利用して、若干の変更又は修飾を加えて均等の変化を伴う均等の実施例とすることができるが、本発明の技術案の内容から逸脱しない限り、本発明の技術の本質に基づいて上記の実施例に対して行ういかなる簡単な修正、同等の変化及び修飾は、依然として全て本発明の技術案の範囲内に属する。
【符号の説明】
【００５０】
１    第１カバーボード
２    第２カバーボード
３    接続部
４    接続部材
５    凹凸面
６    スイッチ
７    第１カバーボード側縁
８    ガイドワイヤ
９    シースチューブ
１０  ガイドワイヤ通過キャビティ
１１  ガイドワイヤキャビティ
１２  Ｃ型溝
１３  上半部
１４  下半部
１５  圧力ばね
１６  アウターチューブ
１７  三角開口
【図１】
2021529580.tif 000003
【図２】
2021529580.tif 000004
【図３】
2021529580.tif 000005
【図４】
2021529580.tif 000006
【図５】
2021529580.tif 000007
【図６】
2021529580.tif 000008
【図７】
2021529580.tif 000009
【図８】
2021529580.tif 000010
【図９】
2021529580.tif 000011
【図１０】
2021529580.tif 000012
【図１１】
2021529580.tif 000013
【国際調査報告】
2021529580.tif 000014
2021529580.tif 000015
2021529580.tif 000016
2021529580.tif 000017
2021529580.tif 000018
2021529580.tif 000019